(57)【要約】      （修正有）【課題】屋外に立置きしたドラム缶等容器の天板部上面の雨水を速やかに外部に排出し、雨水が天板部の口金部に浸入するのを阻止し、プラグが錆ることなく、またプラグを開ける際、雨水が容器内に混入するのないドラム缶等容器の天板部の雨水吸上げ排出装置を提供する。【解決手段】雨水吸上げ排出装置１は、ドラム缶等容器２０の天板部２１外周のチヤイム部２２に跨がる縦断面略逆Ｕ形の吸水性部材を備え、吸水性部材の内側端部が天板部２１の上面に接触せしめられ、同外側端部がチヤイム部２２の外側において垂下状に保持されるとともに、天板部２１のレベル以下の高さに保持されている。ドラム缶等容器２０の天板部２１上面の雨水は、吸水性部材の内側端部より毛細管現象により吸い上げられて、チヤイム部２２外側の吸水性部材の外側端部より流下排出せしめられるようにした。また、吸水性部材の固定手段を備えた。【選択図】図１
2014084127.tif 000002
【特許請求の範囲】
【請求項１】
屋外に立置きに設置されたドラム缶等容器の天板部外周のチヤイム部に跨って取り付けられる天板部の雨水吸上げ排出装置であって、天板部外周のチヤイム部に跨がる縦断面略逆Ｕ形の吸水性部材を備え、吸水性部材の内側端部が天板部の上面に接触せしめられ、同外側端部がチヤイム部の外側において垂下状に保持されるとともに、天板部のレベル以下の高さに保持されており、屋外に立置きに設置されたドラム缶等容器の天板部上面の雨水が、チヤイム部に跨って取り付けられた吸水性部材の内側端部より毛細管現象により吸い上げられて、チヤイム部外側の吸水性部材の外側端部より流下排出せしめられることを特徴とする、ドラム缶等容器の天板部の雨水吸上げ排出装置。
【請求項２】
さらに、吸水性部材の固定手段が備えられていることを特徴とする、請求項１に記載のドラム缶等容器の天板部の雨水吸上げ排出装置。
【請求項３】
吸水性部材が、織布、紙、および繊維よりなる群の中から選ばれた少なくとも１つの吸水性素材によって構成されることを特徴とする、請求項１または２に記載のドラム缶等容器の天板部の雨水吸上げ排出装置。
【請求項４】
吸水性部材が、織布で包まれた紙および／または繊維によって構成されることを特徴とする、請求項１〜３のうちのいずれか一項に記載のドラム缶等容器の天板部の雨水吸上げ排出装置。
【請求項５】
吸水性部材が、織布で包まれた紙および／または繊維、並びに雨水排出促進用網状芯材によって構成されることを特徴とする、請求項４に記載のドラム缶等容器の天板部の雨水吸上げ排出装置。
【請求項６】
吸水性部材が、紙、およびこれで包まれた雨水排出促進用網状芯材によって構成されることを特徴とする、請求項１〜３のうちのいずれか一項に記載のドラム缶等容器の天板部の雨水吸上げ排出装置。
【請求項７】
固定手段が、金属線、金属板、合成樹脂板、または合成ゴム板よりなるものであることを特徴とする、請求項２に記載のドラム缶等容器の天板部の雨水吸上げ排出装置。
【請求項８】
固定手段が、平面よりみて略矩形または長円形に屈曲成形された環状の金属線よりなるもので、該金属線よりなる固定手段が、側面よりみて略逆Ｕ形に折り曲げられた状態で、吸水性部材の内部に収められているか、または吸水性部材を上から押さえ付けるものであるか、または吸水性部材のドラム缶等容器側の面に取り付けられていることを特徴とする、請求項２に記載のドラム缶等容器の天板部の雨水吸上げ排出装置。
【請求項９】
固定手段が、縦断面略逆Ｕ形の金属板、同合成樹脂板、または同合成ゴム板よりなるもので、該固定手段が、吸水性部材の内部に収められているか、または吸水性部材を上から押さえ付けるものであるか、または吸水性部材のドラム缶等容器側の面に取り付けられていることを特徴とする、請求項２に記載のドラム缶等容器の天板部の雨水吸上げ排出装置。
【請求項１０】
固定手段が、吸水性部材に取り付けられた接着テープまたは接着剤であることを特徴とする、請求項２に記載のドラム缶等容器の天板部の雨水吸上げ排出装置。
【請求項１１】
ドラム缶等容器がオープン缶であり、屋外に立置きに設置されたオープン缶の天板部（蓋）外周の上方凸縁部および締付けバンドに跨って取り付けられる天板部の雨水吸上げ排出装置であって、天板部外周の上方凸縁部および締付けバンドに跨がる縦断面略逆Ｕ形の吸水性部材を備え、吸水性部材の内側端部が天板部の上面に接触せしめられ、同外側端部が締付けバンドの外側において垂下状に保持されるとともに、天板部のレベル以下の高さに保持されており、屋外に立置きに設置されたオープン缶の天板部上面の雨水が、天板部外周の上方凸縁部および締付けバンドに跨って取り付けられた吸水性部材の内側端部より毛細管現象により吸い上げられて、締付けバンド外側の吸水性部材の外側端部より流下排出せしめられることを特徴とする、ドラム缶等容器の天板部の雨水吸上げ排出装置。
【請求項１２】
さらに、吸水性部材の固定手段が備えられていることを特徴とする、請求項１１に記載のドラム缶等容器の天板部の雨水吸上げ排出装置。
【発明の詳細な説明】
【技術分野】
【０００１】
本発明は、屋外に立置きに設置されたドラム缶等容器の天板部上面の水出し具、さらに詳しくは、屋外に立置きに設置されたドラム缶等容器の天板部上面の雨水を排出するために、天板部の外周に取り付けられる天板部の雨水吸上げ排出装置に関するものである。
【背景技術】
【０００２】
一般に、ドラム缶等容器を屋外に立置きにして設置保管していると、降雨によりドラム缶等容器の天板部の上面に雨水が溜まるが、この天板部上面の雨水を除く場合、作業者が内容物が入っているドラム缶等容器を傾けて、一部水を除去し、その後、例えば雑巾などでドラム缶等容器の天板部上面の雨水を拭き取り、乾燥してから、ドラム缶等容器の内容物を取り出さなければならず、非常に手間がかかるという問題があった。
【０００３】
一方、屋外に立置きにして設置したドラム缶等容器の天板部に溜まった雨水を放置すると、それが蒸発、乾燥するまでに数日かかり、その間に雨水が天板部の口金部に浸入し、プラグに錆の発生を引き起こしたり、プラグをねじ開けた時（開栓時）に天板部上面の雨水が容器内に混入することによって、容器内容物が汚染され、内容物の品質悪化の原因になったりするという問題があった。
【０００４】
そこで、従来は、例えば下記の特許文献１に記載のように、立置きに設置されたドラム缶の天板部の全体を被う保護キッャプを被せたり、下記の特許文献２に記載のように、立置きに設置された数本のドラム缶の天板部の全部をまとめて被う保護カバーを被せたりして、ドラム缶の天板部上面に雨水が浸入しないようにする方法が、提案されている。
【先行技術文献】
【特許文献】
【０００５】
【特許文献１】特開２００６−６９６５７号公報
【特許文献２】特開２０１０−１３２３３０号公報
【発明の概要】
【発明が解決しようとする課題】
【０００６】
しかしながら、上記特許文献１と２に記載の従来のドラム缶の天板部の保護キッャプや、保護カバーによれば、立置きに設置された１本のドラム缶の天板部の全体、あるいはまた立置きに設置された数本のドラム缶の天板部の全部をまとめて被うものであるため、サイズが非常に大きくなり、製造コストが高くつくとともに、取付けに手間がかかるだけでなく、それらの不使用時には、保管スペースが必要となり、また管理の手間もかかるという問題があった。
【０００７】
本発明の目的は、上記の従来技術の問題を解決したドラム缶等容器の天板部の雨水吸上げ排出装置を提供するもので、屋外に立置きに設置されたドラム缶等容器の天板部上面に雨水が溜まり始めると同時に雨水の吸い上げ排出を開始し、雨水が天板部上面より外部に流れ出し、雨水が天板部の口金部に浸入するのを有効に阻止することができて、プラグに錆が発生することなく、またプラグをねじ開ける際（開栓の際）にも、雨水が容器内に混入することなく、容器内容物が雨水によって汚染されることなく、内容物の品質悪化を未然に防止することができ、ドラム缶等容器に内容物を充填した時から、国内外のユーザー（顧客）に届くまでドラム缶等容器の内容物を安心して供給することができるとともに、国内外のユーザー（顧客）にドラム缶等容器が届いた後、これを屋外に立置きにして設置保管しても、降雨によりドラム缶等容器の天板部上面に雨水が溜まるのを確実に阻止することができて、従来の面倒な天板部上面の雨水の除去作業を行う必要がなく、これによって作業者の負担が軽減され、そのうえ、非常にコンパクトで、製造コストが安くつくとともに、ドラム缶等容器の天板部外周のチヤイム部にワンタッチで取り付けることができて、取付けに手間がかからず、またその不使用時の保管スペースが非常に少なくてすむとともに、管理の手間をほとんど必要とせず、さらにコンパクトで小型設計であるため、ドラム缶等容器の天板部外周のチヤイム部に取り付けた状態でも、輸送の邪魔にならず、ドラム缶等容器を利用する各種製品の輸出にも適している、ドラム缶等容器の天板部の雨水吸上げ排出装置を提供することにある。
【課題を解決するための手段】
【０００８】
上記の目的を達成するために、請求項１の発明は、屋外に立置きに設置されたドラム缶等容器の天板部外周のチヤイム部に跨って取り付けられる天板部の雨水吸上げ排出装置であって、天板部外周のチヤイム部に跨がる縦断面略逆Ｕ形の吸水性部材を備え、吸水性部材の内側端部が天板部の上面に接触せしめられ、同外側端部がチヤイム部の外側において垂下状に保持されるとともに、天板部のレベル以下の高さに保持されており、屋外に立置きに設置されたドラム缶等容器の天板部上面の雨水が、チヤイム部に跨って取り付けられた吸水性部材の内側端部より毛細管現象により吸い上げられて、チヤイム部外側の吸水性部材の外側端部より流下排出せしめられることを特徴としている。
【０００９】
請求項２の発明は、請求項１に記載のドラム缶等容器の天板部の雨水吸上げ排出装置であって、さらに、吸水性部材の固定手段が備えられていることを特徴としている。
【００１０】
請求項３の発明は、請求項１または２に記載のドラム缶等容器の天板部の雨水吸上げ排出装置であって、吸水性部材が、織布、紙、および繊維よりなる群の中から選ばれた少なくとも１つの吸水性素材によって構成されることを特徴としている。
【００１１】
請求項４の発明は、請求項１〜３のうちのいずれか一項に記載のドラム缶等容器の天板部の雨水吸上げ排出装置であって、吸水性部材が、織布で包まれた紙および／または繊維によって構成されることを特徴としている。
【００１２】
請求項５の発明は、請求項４に記載のドラム缶等容器の天板部の雨水吸上げ排出装置であって、吸水性部材が、織布で包まれた紙および／または繊維、並びに雨水排出促進用網状芯材によって構成されることを特徴としている。
【００１３】
請求項６の発明は、請求項１〜３のうちのいずれか一項に記載のドラム缶等容器の天板部の雨水吸上げ排出装置であって、吸水性部材が、紙、およびこれで包まれた雨水排出促進用網状芯材によって構成されることを特徴としている。
【００１４】
請求項７の発明は、請求項２に記載のドラム缶等容器の天板部の雨水吸上げ排出装置であって、固定手段が、金属線、金属板、合成樹脂板、または合成ゴム板よりなるものであることを特徴としている。
【００１５】
請求項８の発明は、請求項２に記載のドラム缶等容器の天板部の雨水吸上げ排出装置であって、固定手段が、平面よりみて略矩形または長円形に屈曲成形された環状の金属線よりなるもので、該金属線よりなる固定手段が、側面よりみて略逆Ｕ形に折り曲げられた状態で、吸水性部材の内部に収められているか、または吸水性部材を上から押さえ付けるものであるか、または吸水性部材のドラム缶等容器側の面に取り付けられていることを特徴としている。
【００１６】
請求項９の発明は、請求項２に記載のドラム缶等容器の天板部の雨水吸上げ排出装置であって、固定手段が、縦断面略逆Ｕ形の金属板、同合成樹脂板、または同合成ゴム板よりなるもので、該固定手段が、吸水性部材の内部に収められているか、または吸水性部材を上から押さえ付けるものであるか、または吸水性部材のドラム缶等容器側の面に取り付けられていることを特徴としている。
【００１７】
請求項１０の発明は、請求項２に記載のドラム缶等容器の天板部の雨水吸上げ排出装置であって、固定手段が、吸水性部材に取り付けられた接着テープまたは接着剤であることを特徴としている。
【００１８】
請求項１１の発明は、ドラム缶等容器がオープン缶であり、屋外に立置きに設置されたオープン缶の天板部（蓋）外周の上方凸縁部および締付けバンドに跨って取り付けられる天板部の雨水吸上げ排出装置であって、天板部外周の上方凸縁部および締付けバンドに跨がる縦断面略逆Ｕ形の吸水性部材を備え、吸水性部材の内側端部が天板部の上面に接触せしめられ、同外側端部が締付けバンドの外側において垂下状に保持されるとともに、天板部のレベル以下の高さに保持されており、屋外に立置きに設置されたオープン缶の天板部上面の雨水が、天板部外周の上方凸縁部および締付けバンドに跨って取り付けられた吸水性部材の内側端部より毛細管現象により吸い上げられて、締付けバンド外側の吸水性部材の外側端部より流下排出せしめられることを特徴としている。
【００１９】
請求項１２の発明は、請求項１１に記載のドラム缶等容器の天板部の雨水吸上げ排出装置であって、さらに、吸水性部材の固定手段が備えられていることを特徴としている。
【発明の効果】
【００２０】
請求項１の発明は、屋外に立置きに設置されたドラム缶等容器の天板部外周のチヤイム部に跨って取り付けられる天板部の雨水吸上げ排出装置であって、天板部外周のチヤイム部に跨がる縦断面略逆Ｕ形の吸水性部材を備え、吸水性部材の内側端部が天板部の上面に接触せしめられ、同外側端部がチヤイム部の外側において垂下状に保持されるとともに、天板部のレベル以下の高さに保持されており、屋外に立置きに設置されたドラム缶等容器の天板部上面の雨水が、チヤイム部に跨って取り付けられた吸水性部材の内側端部より毛細管現象により吸い上げられて、チヤイム部外側の吸水性部材の外側端部より流下排出せしめられることを特徴とするもので、請求項１に記載の発明によれば、屋外に立置きに設置されたドラム缶等容器の天板部上面に雨水が溜まり始めると同時に雨水の吸い上げ排出を開始し、雨水が天板部上面より外部に流れ出し、雨水が天板部の口金部に浸入するのを有効に阻止することができて、プラグに錆が発生することなく、またプラグをねじ開ける際（開栓の際）にも、雨水が容器内に混入することなく、容器内容物が雨水によって汚染されることなく、内容物の品質悪化を未然に防止することができて、ドラム缶等容器に内容物を充填した時から、国内外のユーザー（顧客）に届くまでドラム缶等容器の内容物を安心して供給することができるとともに、国内外のユーザー（顧客）にドラム缶等容器が届いた後、これを屋外に立置きにして設置保管しても、降雨によりドラム缶等容器の天板部上面に雨水が溜まるのを確実に阻止することができて、従来の面倒な天板部上面の雨水の除去作業を行う必要がなく、これによって作業者の負担が軽減され、そのうえ、非常にコンパクトで、製造コストが安くつくとともに、ドラム缶等容器の天板部外周のチヤイム部にワンタッチで取り付けることができて、取付けに手間がかからず、またその不使用時の保管スペースが非常に少なくてすむとともに、管理の手間をほとんど必要とせず、さらにコンパクトで小型設計であるため、ドラム缶等容器の天板部外周のチヤイム部に取り付けた状態でも、輸送の邪魔にならず、ドラム缶等容器を利用する各種製品の輸出にも適しているという効果を奏する。
【００２１】
なお、ドラム缶等容器の天板部外周のチヤイム部には、本発明による雨水吸上げ排出装置を１個、または複数個取り付ければよく、もちろん雨水吸上げ排出装置の取り付け数が多いほど、天板部上面における雨水の吸い上げ排出時間は、短くてすむが、通常は、天板部外周のチヤイム部に、本発明による雨水吸上げ排出装置を１個取り付けるだけで充分である。
【００２２】
そして、内容物を充填したドラム缶等容器の天板部外周のチヤイム部に、本発明による雨水吸上げ排出装置を予め取り付けておくと、ドラム缶等容器の輸送時に降雨に出会っても、例えば輸送船や輸送車両の荷台上に立置きに設置されたドラム缶等容器の天板部上面には、雨水が溜まることがなく、内容物を充填したドラム缶等容器の荷揚げ、荷下ろしの作業を、非常に速やかにかつ効率よく実施することができるという利点がある。
【００２３】
請求項２の発明は、請求項１に記載のドラム缶等容器の天板部の雨水吸上げ排出装置であって、さらに、吸水性部材の固定手段が備えられていることを特徴とするもので、請求項２に記載の発明によれば、吸水性部材を固定手段によって、ドラム缶等容器の天板部外周のチヤイム部に跨った状態に確実に取り付けることができて、上記の効果をより一層確実に果たしうるという効果を奏する。
【００２４】
本発明のドラム缶等容器の天板部の雨水吸上げ排出装置において、吸水性部材は、織布、紙、および繊維よりなる群の中から選ばれた少なくとも１つの吸水性素材によって構成されることが好ましい。
【００２５】
ここで、吸水性部材は、例えば、織布で包まれた紙および／または繊維によって構成されることが好ましい。
【００２６】
また、吸水性部材は、織布で包まれた紙および／または繊維、並びに雨水排出促進用網状芯材によって構成されることが好ましい。
【００２７】
あるいはまた、吸水性部材は、紙、およびこれで包まれた雨水排出促進用網状芯材によって構成されることが好ましい。
【００２８】
本発明のドラム缶等容器の天板部の雨水吸上げ排出装置において、固定手段が、金属線、金属板、合成樹脂板、または合成ゴム板よりなるものであることが好ましい。
【００２９】
固定手段は、例えば、平面よりみて略矩形または長円形に屈曲成形された環状の金属線よりなるもので、該金属線よりなる固定手段が、側面よりみて略逆Ｕ形に折り曲げられた状態で、吸水性部材の内部に収められているか、または吸水性部材を上から押さえ付けるものであるか、または吸水性部材のドラム缶等容器側の面に取り付けられていることが好ましい。
【００３０】
また、固定手段は、縦断面略逆Ｕ形の金属板、同合成樹脂板、または同合成ゴム板よりなるもので、該固定手段が、吸水性部材の内部に収められているか、または吸水性部材を上から押さえ付けるものであるか、または吸水性部材のドラム缶等容器側の面に取り付けられていることが好ましい。
【００３１】
本発明のドラム缶等容器の天板部の雨水吸上げ排出装置において、固定手段が、吸水性部材に取り付けられた接着テープまたは接着剤であってもよい。なおこの場合、接着テープまたは接着剤は、通常、吸水性部材のドラム缶等容器側の面に取り付けられて、これらにより吸水性部材が天板部外周のチヤイム部に跨がった状態に固定されるが、接着テープの場合には、これを吸水性部材の上から貼り付けて、チヤイム部に固定することもある。
【００３２】
本発明のドラム缶等容器の天板部の雨水吸上げ排出装置は、天板部外周が巻き締めによりドラム胴部上端に固着されたいわゆるクローズドタイプのドラム缶、同ペール缶だけでなく、ドラム胴部上端が開口していて、天板部がその開閉蓋となされたいわゆるオープンタイプのドラム缶（オープン缶）、同ペール缶等の容器に、適用されるものである。
【００３３】
請求項１１の発明は、ドラム缶等容器がオープン缶であり、屋外に立置きに設置されたオープン缶の天板部（蓋）外周の上方凸縁部および締付けバンドに跨って取り付けられる天板部の雨水吸上げ排出装置であって、天板部外周の上方凸縁部および締付けバンドに跨がる縦断面略逆Ｕ形の吸水性部材を備え、吸水性部材の内側端部が天板部の上面に接触せしめられ、同外側端部が締付けバンドの外側において垂下状に保持されるとともに、天板部のレベル以下の高さに保持されており、屋外に立置きに設置されたオープン缶の天板部上面の雨水が、天板部外周の上方凸縁部および締付けバンドに跨って取り付けられた吸水性部材の内側端部より毛細管現象により吸い上げられて、締付けバンド外側の吸水性部材の外側端部より流下排出せしめられることを特徴とするもので、請求項１１に記載の発明によれば、屋外に立置きに設置されたオープン缶の天板部上面に雨水が溜まり始めると同時に雨水の吸い上げ排出を開始し、雨水が天板部上面より外部に流れ出し、雨水が天板部の口金部に浸入するのを有効に阻止することができて、プラグに錆が発生することなく、またプラグをねじ開ける際（開栓の際）にも、雨水がオープン缶内に混入することなく、オープン缶内容物が雨水によって汚染されることなく、内容物の品質悪化を未然に防止することができて、オープン缶に内容物を充填した時から、国内外のユーザー（顧客）に届くまでオープン缶の内容物を安心して供給することができるとともに、国内外のユーザー（顧客）にドラム缶等容器が届いた後、これを屋外に立置きにして設置保管しても、降雨によりドラム缶等容器の天板部上面に雨水が溜まるのを確実に阻止することができて、従来の面倒な天板部上面の雨水の除去作業を行う必要がなく、これによって作業者の負担が軽減され、そのうえ、非常にコンパクトで、製造コストが安くつくとともに、ドラム缶等容器の天板部外周のチヤイム部にワンタッチで取り付けることができて、取付けに手間がかからず、またその不使用時の保管スペースが非常に少なくてすむとともに、管理の手間をほとんど必要とせず、さらにコンパクトで小型設計であるため、立置きに設置されたオープン缶の天板部（蓋）外周の上方凸縁部および締付けバンドに取り付けた状態でも、輸送の邪魔にならず、オープン缶を利用する各種製品の輸出にも適しているという効果を奏する。
【００３４】
なお、オープン缶の天板部（蓋）外周の上方凸縁部および締付けバンドには、吸水性部材を１個、または複数個取り付ければよく、もちろん吸水性部材の取り付け数が多いほど、天板部上面における雨水の吸い上げ排出時間は、短くてすむが、通常は、天板部外周の上方凸縁部および締付けバンドに吸水性部材を１個取り付けるだけで充分である。
【００３５】
また、内容物を充填したオープン缶の天板部（蓋）外周の上方凸縁部および締付けバンドに跨って、本発明による雨水吸上げ排出装置を予め取り付けておくと、オープン缶の輸送時に降雨に出会っても、例えば輸送船や輸送車両の荷台上に立置きに設置されたオープン缶の天板部上面には、雨水が溜まることがなく、内容物を充填したオープン缶の荷揚げ、荷下ろしの作業を、非常に速やかにかつ効率よく実施することができるという利点がある。
【００３６】
請求項１２の発明は、請求項１１に記載のドラム缶等容器の天板部の雨水吸上げ排出装置であって、さらに、吸水性部材の固定手段が備えられていることを特徴とするもので、請求項１２に記載の発明によれば、吸水性部材を固定手段によって、オープン缶の天板部（蓋）外周の上方凸縁部および締付けバンドに跨った状態に確実に取り付けることができて、上記の効果をより一層確実に果たしうるという効果を奏する。
【００３７】
本発明のドラム缶等容器の天板部の雨水吸上げ排出装置において、ドラム缶等容器がオープン缶である場合も、吸水性部材および固定手段の素材や構造は、上記のいわゆるクローズド缶であるドラム缶等容器の場合と同様である。
【図面の簡単な説明】
【００３８】
【図１】本発明の第１実施形態を示す斜視図で、本発明の雨水吸上げ排出装置が、立置きに設置されたドラム缶の天板部外周のチヤイム部に跨って取り付けられている状態を示している。
【図２】図１の要部拡大断面図で、本発明の雨水吸上げ排出装置は側面が示されている。
【図３】図１で用いた本発明の雨水吸上げ排出装置の拡大斜視図である。
【図４】本発明の雨水吸上げ排出装置の第２実施形態を示す要部拡大断面図で、上記図２に対応するものであり、本発明の雨水吸上げ排出装置は側面が示されている。
【図５】本発明の雨水吸上げ排出装置の第３実施形態を示す拡大斜視図である。
【図６】図１で用いた本発明の雨水吸上げ排出装置の要部拡大部分省略拡大断面図である。
【図７】本発明の雨水吸上げ排出装置の第４実施形態を示す要部拡大部分省略拡大断面図である。
【図８】本発明の雨水吸上げ排出装置の展開状態の平面図で、吸水性部材の縫い合わせ部が、図８（ａ）では、吸水性部材の右側縁部の全体と、上下両側縁部のそれぞれ略半分とに設けられている。図８（ｂ）では、吸水性部材の右側縁部の全体と、上下両側縁部のそれぞれ全体とに設けられている。図８（ｃ）では、吸水性部材の左右両側縁部の全体に設けられるとともに、上下両側縁部では、それらの中間部の２箇所においてそれぞれ縫い止められている。
【図９】本発明の雨水吸上げ排出装置の第５実施形態を示す要部拡大断面図で、上記図２に対応するものであり、本発明の雨水吸上げ排出装置は側面図が示されている。
【図１０】本発明の雨水吸上げ排出装置の第６実施形態を示す要部拡大断面図で、上記図２に対応するものであり、本発明の雨水吸上げ排出装置は側面図が示されている。
【図１１】本発明の雨水吸上げ排出装置の第７実施形態を示す要部拡大断面図で、上記図２に対応するものであり、本発明の雨水吸上げ排出装置は側面図が示されている。
【図１２】本発明の雨水吸上げ排出装置の第８実施形態を示す要部拡大断面図で、本発明の雨水吸上げ排出装置が、立置きに設置されたオープン缶の天板部（蓋）外周の上方凸縁部および締付けバンドに跨って取り付けられている状態を示し、本発明の雨水吸上げ排出装置は側面が示されている。
【図１３】本発明の雨水吸上げ排出装置の第９実施形態を示す要部拡大断面図で、上記図１２に対応するものであり、本発明の雨水吸上げ排出装置は側面図が示されている。
【発明を実施するための形態】
【００３９】
つぎに、本発明の実施の形態を、図面を参照して説明するが、本発明はこれらに限定されるものではない。
【００４０】
図１は、本発明の第１実施形態を示す斜視図で、本発明の雨水吸上げ排出装置（１）が、立置きに設置されたドラム缶（２０）の天板部（２１）外周のチヤイム部（２２）に跨って取り付けられている状態を示している。図２は、図１の要部拡大断面図で、本発明の雨水吸上げ排出装置（１）は側面が示されている。図３は、図１で用いた本発明の雨水吸上げ排出装置（１）の拡大斜視図である。
【００４１】
図１〜図３を参照すると、本発明は、屋外に立置きに設置されたドラム缶（２０）の天板部（２１）外周のチヤイム部（２２）に跨って取り付けられる天板部の雨水吸上げ排出装置（１）であって、天板部（２１）外周のチヤイム部（２２）に跨がる縦断面略逆Ｕ形の吸水性部材（２）を備えている。
【００４２】
吸水性部材（２）の内側端部（２ａ）が天板部（２１）の上面に接触せしめられ、同外側端部（２ｂ）がチヤイム部（２２）の外側において垂下状に保持されるとともに、天板部（２１）のレベル以下の高さに保持されている。
【００４３】
その他、図１において、（２３）はドラム缶（２０）の胴部、（２４）は胴部（２３）の高さの中間部に設けられたビード（補強凸条）、（２５）は天板部（２１）に設けられた大径口金部、（２６）は同小径口金部である。
【００４４】
本発明の雨水吸上げ排出装置（１）によれば、屋外に立置きに設置されたドラム缶（２０）の天板部（２１）上面の雨水が、チヤイム部（２２）に跨って取り付けられた吸水性部材（２）の内側端部（２ａ）より毛細管現象により吸い上げられて、チヤイム部（２２）外側の吸水性部材（２）の外側端部（２ｂ）より流下排出せしめられるものである。
【００４５】
本発明の雨水吸上げ排出装置（１）において、吸水性部材（２）は、特に制限はないが、例えば織布、紙、および繊維よりなる群の中から選ばれた少なくとも１つの吸水性素材によって構成されることが好ましい。
【００４６】
本発明の雨水吸上げ排出装置（１）には、さらに、吸水性部材の固定手段（３）が備えられている。この固定手段（３）としては、例えば図３に示すように、金属線（針金）（１３）よりなるものであることが好ましい。
【００４７】
図４は、本発明の雨水吸上げ排出装置（１）の第２実施形態を示す要部拡大断面図である。同図において、吸水性部材（２）と、金属線（１３）よりなる固定手段（３）とによって構成される本発明の雨水吸上げ排出装置（１）は、側面よりみて略逆Ｕ形を有していて、チヤイム部（２２）の内側壁面に沿いかつ吸水性部材（２）の内側端部（２ａ）が天板部（２１）の上面に接触せしめられている内部構成部（１ａ）と、この内部構成部（１ａ）の上側縁部に連なりかつチヤイム部（２２）の上側屈曲壁面に沿う側面よりみて下向きに開口した円弧形の上部構成部（１ｂ）と、この上部構成部（１ｂ）の外側縁部に連なりかつチヤイム部（２２）の外側壁面に沿ったのち、下方に伸びている外部構成部（１ｃ）とを具備している。
【００４８】
そして、この外部構成部（１ｃ）の高さの中間部に、ドラム缶（２０）の胴部（２３）側に湾曲して突出した内方凸部（１ｄ）が設けられている。
【００４９】
ここで、内方凸部（１ｄ）の内側面とドラム缶胴部（２３）の外面との間の間隔は、最も近い部分で、チヤイム部（２２）の外面とドラム缶胴部（２３）の外面との間隔よりも狭くなされていて、例えば激しい風雨や、輸送中の振動などによっても、ドラム缶（２０）の天板部（２１）外周のチヤイム部（２２）に跨って取り付けられた本発明の雨水吸上げ排出装置（１）が、チヤイム部（２２）から外れ落ちないようになされている。
【００５０】
本発明の第２実施形態において、その他の点は、上記本発明の第１実施形態の場合と同様であるので、図４において、上記図２と同一のものには、同一の符号を付した。
【００５１】
図５は、本発明の雨水吸上げ排出装置（１）の第３実施形態を示す拡大斜視図である。同図において、本発明の雨水吸上げ排出装置（１）の固定手段（３）として、鋼板またはアルミニウム板などの金属板（１４）よりなるものを用いている。
【００５２】
本発明の第３実施形態において、その他の点は、上記本発明の第１実施形態の場合と同様であるので、図５において、上記図３と同一のものには、同一の符号を付した。
【００５３】
また、図示は省略したが、本発明の第３実施形態のように、固定手段（３）として、鋼板またはアルミニウム板などの金属板（１４）よりなるものを用いた場合には、図４の第２実施形態の場合と同様に、雨水吸上げ排出装置（１）の外部構成部（１ｃ）の高さの中間部に、ドラム缶（２０）の胴部（２３）側に湾曲して突出した内方凸部（１ｄ）を設けることが可能である。
【００５４】
第３実施形態の雨水吸上げ排出装置（１）の固定手段（３）としては、金属板（１４）に代えて合成樹脂板または合成ゴム板を使用することもできる。
【００５５】
そして、固定手段（３）として金属板（１４）に代えて合成樹脂板または合成ゴム板を使用した場合には、例えば金型成形により、雨水吸上げ排出装置（１）の外部構成部（１ｃ）の高さの中間部に、ドラム缶（２０）の胴部（２３）側に湾曲して突出した内方凸部（１ｄ）を設けることが可能である。
【００５６】
図６は、上記図１〜図３に示す本発明の第１実施形態の雨水吸上げ排出装置（１）の要部拡大部分省略拡大断面図である。図６を参照すると、本発明の雨水吸上げ排出装置（１）は、吸水性部材（２）が、二つ折りされた織布（４）で包まれかつ同様に二つ折りされた紙（５）によって構成され、さらに二つ折りされた紙（５）の内側に同様に二つ折りされた雨水排出促進用網状芯材（６）が収められている。
【００５７】
そして、二つ折りされた上下網状芯材（６）（６）同士の間に、平面よりみて略矩形に屈曲成形された環状の金属線（針金）（１３）よりなる固定手段（３）が備えられている。
【００５８】
図７は、本発明の雨水吸上げ排出装置（１）の第４実施形態を示す要部拡大部分省略拡大断面図で、上記図６の第１実施形態の雨水吸上げ排出装置（１）の変形例を示している。図７を参照すると、この第４実施形態においては、本発明の雨水吸上げ排出装置（１）は、吸水性部材（２）が、二つ折りされた紙（５）によって構成され、さらに二つ折りされた紙（５）の内側に同様に二つ折りされた雨水排出促進用網状芯材（６）が収められている。
【００５９】
そして、二つ折りされた上下網状芯材（６）（６）同士の間に、平面よりみて略矩形に屈曲成形された環状の金属線（針金）（１３）よりなる固定手段（３）が備えられている。
【００６０】
図８は、本発明の雨水吸上げ排出装置（１）の展開状態の平面図である。ここで、固定手段（３）が、例えば平面よりみて略矩形に屈曲成形された環状の金属線（１３）よりなるものである場合には、該金属線（１３）の両端部（１３ａ）（１３ｂ）は互いに突き合わせられて、接着テープ（図示略）などにより連結されている。そして、金属線（１３）よりなる固定手段（３）は、側面よりみて略逆Ｕ形に折り曲げられた状態で、吸水性部材（２）の内部に収められている（図３参照）。また、固定手段（３）は、平面よりみて略矩形を有しかつ折り曲げ可能な鋼板またはアルミニウム板などの金属板（１４）であってもよい（図５参照）。
【００６１】
ここで、本発明による雨水吸上げ排出装置（１）の吸水性部材（２）の寸法は、長さ７０〜１５０ｍｍ、好ましくは８０〜１２０ｍｍ、および幅２０〜７０ｍｍ、好ましくは４０〜６０ｍｍであるのが好ましい。
【００６２】
図８に示す本発明の雨水吸上げ排出装置（１）の展開状態の平面図において、吸水性部材（２）の縫い合わせ部（縫い目）（８）は、図８（ａ）に示すように、吸水性部材（２）の右側縁部、すなわち吸水性部材（２）の折り返し部（７）と反対側の側縁部の全体と、上下両側縁部のそれぞれ略半分とに設けられている。
【００６３】
吸水性部材（２）の縫い合わせ部（縫い目）（８）は、図８（ｂ）に示すように、吸水性部材（２）の右側縁部の全体と、上下両側縁部のそれぞれ全体とに設けられていてもよいし、図８（ｃ）に示すように、吸水性部材（２）の左右両側縁部の全体に設けられるとともに、上下両側縁部では、それらの中間部の２箇所においてそれぞれ縫着部（９）（９）により縫い止められていてもよい。
【００６４】
なお、吸水性部材（２）を構成する吸水性素材である織布（４）、紙（５）および雨水排出促進用網状芯材（６）は、これらを二つ折りすることなく、平面状態で順次積層して組み合わせてもよく、また吸水性部材（２）を構成するこれらの吸水性素材同士は、上記のような縫い合わせ方法でなく、接着などのその他の方法によって互いに結合されてもよい。
【００６５】
また、図７に示す本発明の雨水吸上げ排出装置（１）の第４実施形態において、吸水性部材（２）を構成する吸水性素材である紙（５）および雨水排出促進用網状芯材（６）の結合方法は、上記の場合と同様とすればよい。
【００６６】
図９は、本発明の雨水吸上げ排出装置（１）の第５実施形態を示す要部拡大断面図で、上記第１実施形態の図２に対応するものである。金属板（１４）よりなる固定手段（３）が、側面よりみて略逆Ｕ形に折り曲げられた状態で吸水性部材（２）を上から押さえ付けるものとなされている。
【００６７】
本発明の雨水吸上げ排出装置（１）の第５実施形態において、金属板（１４）の代わりに、金属線（１３）、合成樹脂板、または同合成ゴム板等を用いることができる。
【００６８】
本発明の雨水吸上げ排出装置（１）の第５実施形態において、その他の点は、上記本発明の第１実施形態の場合と同様であるので、図９において、上記図２と同一のものには、同一の符号を付した。
【００６９】
なお、図示は省略したが、本発明の雨水吸上げ排出装置（１）の第５実施形態においても、図４に示す第２実施形態の場合と同様に、雨水吸上げ排出装置（１）の下方に伸びている外部構成部（１ｃ）の高さの中間部に、ドラム缶（２０）の胴部（２３）側に湾曲して突出した内方凸部（１ｄ）を設けることができる。
【００７０】
本発明の雨水吸上げ排出装置（１）において、固定手段（３）が金属線（１３）または金属板（１４）よりなるものである場合には、図８の雨水吸上げ排出装置（１）の展開状態の平面図に示すように、固定手段（３）である金属線（１３）または金属板（１４）を、平面よりみて略矩形に成形したものを用い、これらを吸水性部材（２）に取り付けた後、吸水性部材（２）と一緒に金属線（１３）または金属板（１４）を側面よりみて略逆Ｕ形に折り曲げて、雨水吸上げ排出装置（１）を作製するようにすることが好ましい。
【００７１】
固定手段（３）が合成樹脂板または合成ゴム板よりなるものである場合には、これらを予め側面よりみて略逆Ｕ形に成形したものを使用し、これらに吸水性部材（２）に取り付けるようにすることが好ましい。
【００７２】
もちろん、固定手段（３）が金属線（１３）または金属板（１４）よりなるものである場合であっても、これらを予め側面よりみて略逆Ｕ形に成形したものを使用し、これらに吸水性部材（２）に取り付けるようにしてもよい。
【００７３】
なお、吸水性部材（２）を構成する吸水性素材と、金属線（針金）（１３）、金属板（１４）、合成樹脂板または合成ゴム板よりなる固定手段（３）との結合方法は、上記のような縫い合わせではなく、接着などその他の結合方法であってもよく、限定されない。
【００７４】
図１０は、本発明の雨水吸上げ排出装置（１）の第６実施形態を示す要部拡大断面図である。同図において、雨水吸上げ排出装置（１）の固定手段（３）が、吸水性部材（２）のドラム缶側の面に取り付けられた接着テープ（１５）によって構成されている。そして、この接着テープ（１５）により、吸水性部材（２）が天板部（２１）外周のチヤイム部（２２）に跨がった状態に固定されている。接着テープ（１５）としては、両面接着テープを用いて、これを吸水性部材（２）の全長にわたって貼り付けることが好ましいが、その他、吸水性部材（２）側の面に接着剤が塗布された片面接着テープを用いて、これを吸水性部材（２）の全長にわたって貼り付け、片面接着テープ（１５）の両端部（１５ａ）（１５ｂ）を、接着剤によって天板部（２１）の上面、および胴部（２３）の外面に貼り付けるようにしてもよい。
【００７５】
本発明の第６実施形態において、その他の点は、上記本発明の第１実施形態の場合と同様であるので、図１０において、上記図２と同一のものには、同一の符号を付した。
【００７６】
なお、図示は省略したが、天板部（２１）外周のチヤイム部（２２）に跨がった状態の吸水性部材（２）の両端部（２ａ）（２ｂ）のみを、固定手段（３）としての接着テープまたは接着剤によって、天板部（２１）の上面、および胴部（２３）の外面にそれぞれ貼り付けるようにしてもよい。
【００７７】
図１１は、本発明の雨水吸上げ排出装置（１）の第７実施形態を示す要部拡大断面図である。同図において、雨水吸上げ排出装置（１）の固定手段（３）が、吸水性部材（２）側の面に接着剤が塗布された片面接着テープ（１５）によって構成されている。そして、吸水性部材（２）が、この接着テープ（１５）により上から押さえ付けられることによって、天板部（２１）外周のチヤイム部（２２）に跨がった状態に固定され、片面接着テープ（１５）の両端部（１５ａ）（１５ｂ）は天板部（２１）の上面および胴部（２３）の外面にそれぞれ貼り付けられている。
【００７８】
なお、片面接着テープの代わりに、接着剤を塗布していないテープを用い、例えばこのテープ（１５）によって吸水性部材（２）を上から押さえ付けた状態で、テープ（１５）の両端部（１５ａ）（１５ｂ）のみを、接着剤によって天板部（２１）の上面、および胴部（２３）の外面にそれぞれ貼り付けるようにしてもよい。
【００７９】
本発明の第７実施形態において、その他の点は、上記本発明の第１実施形態の場合と同様であるので、図１１において、上記図２と同一のものには、同一の符号を付した。
【００８０】
本発明による雨水吸上げ排出装置（１）は、屋外に立置きに設置されたドラム缶（２０）の天板部（２１）外周のチヤイム部（２２）に跨って取り付けられるものであって、天板部（２１）外周のチヤイム部（２２）に跨がる縦断面略逆Ｕ形の吸水性部材（２）を備え、吸水性部材（２）の内側端部（２ａ）が天板部の上面に接触せしめられ、同外側端部（２ｂ）がチヤイム部（２２）の外側において垂下状に保持されるとともに、天板部（２１）のレベル以下の高さに保持されており、屋外に立置きに設置されたドラム缶（２０）の天板部（２１）上面の雨水が、チヤイム部（２２）に跨って取り付けられた吸水性部材（２）の内側端部（２ａ）より毛細管現象により吸い上げられて、チヤイム部（２２）外側の吸水性部材（２）の外側端部（２ｂ）より流下排出せしめられるものである。
【００８１】
本発明による雨水吸上げ排出装置（１）によれば、屋外に立置きに設置されたドラム缶（２０）の天板部（２１）上面に雨水が溜まり始めると同時に雨水の吸い上げ排出を開始し、雨水が天板部（２１）上面より外部に流れ出し、雨水が天板部（２１）の口金部（２５）（２６）に浸入するのを有効に阻止することができて、プラグに錆が発生することなく、またプラグをねじ開ける際（開栓の際）にも、雨水が容器内に混入することなく、容器内容物が雨水によって汚染されることなく、内容物の品質悪化を未然に防止することができて、ドラム缶（２０）に内容物を充填した時から、国内外のユーザー（顧客）に届くまでドラム缶（２０）の内容物を安心して供給することができるとともに、国内外のユーザー（顧客）にドラム缶（２０）が届いた後、これを屋外に立置きにして設置保管しても、降雨によりドラム缶（２０）の天板部（２１）上面に雨水が溜まるのを確実に阻止することができて、従来の面倒な天板部上面の雨水の除去作業を行う必要がなく、これによって作業者の負担が軽減され、そのうえ、非常にコンパクトで、製造コストが安くつくとともに、ドラム缶（２０）の天板部（２１）外周のチヤイム部（２２）にワンタッチで取り付けることができて、取付けに手間がかからず、またその不使用時の保管スペースが非常に少なくてすむとともに、管理の手間をほとんど必要とせず、さらにコンパクトで小型設計であるため、ドラム缶（２０）の天板部（２１）外周のチヤイム部（２２）に取り付けた状態でも、輸送の邪魔にならず、ドラム缶（２０）を利用する各種製品の輸出にも適しているものである。
【００８２】
なお、ドラム缶（２０）の天板部（２１）外周のチヤイム部（２２）には、本発明による雨水吸上げ排出装置（１）を１個、または複数個取り付ければよく、もちろん雨水吸上げ排出装置（１）の取り付け数が多いほど、天板部（２１）上面における雨水の吸い上げ排出時間は、短くてすむが、通常は、天板部（２１）外周のチヤイム部（２２）に、本発明による雨水吸上げ排出装置（１）を１個取り付けるだけで充分である。
【００８３】
本発明による雨水吸上げ排出装置（１）には、さらに、吸水性部材（２）の固定手段（３）として、例えば金属線（１３）、金属板（１４）、合成樹脂板、または合成ゴム板よりなる固定手段（３）を備えることによって、雨水吸上げ排出装置（１）をドラム缶（２０）の天板部（２１）外周のチヤイム部（２２）に跨った状態に確実に取り付けることができて、上記の効果をより一層確実に果たしうるものである。
【００８４】
本発明の雨水吸上げ排出装置（１）においては、吸水性部材（２）は、織布（３）、紙（４）、および繊維よりなる群の中から選ばれた少なくとも１つの吸水性素材によって構成されることが好ましいが、さらに、雨水排出促進用網状芯材を用いることによって、ドラム缶（２０）の天板部（２１）上面の雨水を、より一層速やかに排出することができるものである。
【００８５】
なお、内容物を充填したドラム缶（２０）の天板部（２１）外周のチヤイム部（２２）に、本発明による雨水吸上げ排出装置（１）を予め取り付けておくと、ドラム缶（２０）の輸送時に降雨に出会っても、例えば輸送船や輸送車両の荷台上に立置きに設置されたドラム缶（２０）の天板部（２１）上面には、雨水が溜まることがなく、内容物を充填したドラム缶（２０）の荷揚げ、荷下ろしの作業を、非常に速やかにかつ効率よく実施することができるものである。
【００８６】
本発明の雨水吸上げ排出装置（１）は、天板部（２１）外周が巻き締めによりドラム胴部（２３）上端に固着されたいわゆるクローズドタイプのドラム缶（２０）、および同ペール缶に適用されるだけでなく、ドラム胴部上端が開口していて、天板部がその開閉蓋となされたいわゆるオープンタイプのドラム缶（オープン缶）、同ペール缶等の容器にも適用されるものである。
【００８７】
図１２は、本発明の第８実施形態を示す要部拡大断面図で、本発明の雨水吸上げ排出装置（１）が、立置きに設置されたオープン缶（３０）の天板部（蓋）（３１）外周の上方凸縁部（３２）および締付けバンド（３３）に跨って取り付けられている状態を示し、本発明の雨水吸上げ排出装置（１）は側面が示されている。
【００８８】
同図を参照すると、ドラム缶等容器がオープン缶（３０）である場合には、本発明による雨水吸上げ排出装置（１）は、立置きに設置されたオープン缶（３０）の天板部（蓋）（３１）外周の上方凸縁部（３２）および締付けバンド（３３）に跨って取り付けられる。そして、雨水吸上げ排出装置（１）の縦断面略逆Ｕ形の吸水性部材（２）の内側端部（２ａ）が天板部（３１）の上面に接触せしめられ、同外側端部（２ｂ）が締付けバンド（３３）の外側において垂下状に保持されるとともに、天板部のレベル以下の高さに保持されている。
【００８９】
その他、図１２において、（３４）はオープン缶（３０）の胴部、この胴部（３４）の上端部外周のカール部（３５）に、天板部（蓋）（３１）外周の下方に開口した横断面円弧形の上方凸縁部（３２）が、ガスケット（３６）を介して密着状態に嵌め被せられている。
【００９０】
本発明の雨水吸上げ排出装置（１）によれば、屋外に立置きに設置されたオープン缶（３０）の天板部（３１）上面の雨水が、天板部（３１）外周の上方凸縁部（３２）および締付けバンド（３３）に跨って取り付けられた吸水性部材（２）の内側端部（２ａ）より毛細管現象により吸い上げられて、締付けバンド（３３）外側の吸水性部材（２）の外側端部（２ｂ）より流下排出せしめられるものである。
【００９１】
立置きに設置されたオープン缶（３０）の天板部（蓋）（３１）外周の上方凸縁部（３２）および締付けバンド（３３）に跨って取り付けられ本発明の雨水吸上げ排出装置（１）には、さらに、吸水性部材の固定手段（３）が備えられていることが好ましい。
【００９２】
本発明の雨水吸上げ排出装置（１）において、ドラム缶等容器がオープン缶（３０）である場合も、吸水性部材（２）、および金属線（針金）（１３）などの固定手段（３）の素材や構造は、上記のいわゆるクローズド缶であるドラム缶（２０）の場合と同様である。
【００９３】
図１３は、本発明の雨水吸上げ排出装置（１）の第９実施形態を示す要部拡大断面図である。同図において、吸水性部材（２）と、金属線（１３）よりなる固定手段（３）とによって構成される本発明の雨水吸上げ排出装置（１）の外部構成部（１ｃ）の高さの中間部に、オープン缶（３０）の胴部（３４）側に湾曲して突出した内方凸部（１ｄ）が設けられている。
【００９４】
ここで、内方凸部（１ｄ）の内側面とオープン缶（３０）の胴部（３４）の外面との間の間隔は、最も近い部分で、締付けバンド（３３）の外面とオープン缶（３０）の胴部（３４）の外面との間隔よりも狭くなされていて、例えば激しい風雨や、輸送中の振動などによっても、オープン缶（３０）の天板部（３１）外周の上方凸縁部（３２）および締付けバンド（３３）に跨って取り付けられた本発明の雨水吸上げ排出装置（１）が、天板部（３１）外周の上方凸縁部（３２）および締付けバンド（３３）から外れ落ちないようになされている。
【００９５】
本発明の第９実施形態において、その他の点は、上記本発明の第８実施形態の場合と同様であるので、図１３において、上記図１２と同一のものには、同一の符号を付した。
【００９６】
図１２と図１３に示す本発明の第８実施形態および第９実施形態の雨水吸上げ排出装置（１）によれば、屋外に立置きに設置されたオープン缶（３０）の天板部（３１）上面に雨水が溜まり始めると同時に雨水の吸い上げ排出を開始し、雨水が天板部（３１）上面より外部に流れ出し、雨水が天板部（３１）の口金部（図示略）に浸入するのを有効に阻止することができて、プラグに錆が発生することなく、またプラグをねじ開ける際（開栓の際）にも、雨水がオープン缶（３０）内に混入することなく、オープン缶（３０）内容物が雨水によって汚染されることなく、内容物の品質悪化を未然に防止することができて、オープン缶（３０）に内容物を充填した時から、国内外のユーザー（顧客）に届くまでオープン缶（３０）の内容物を安心して供給することができるとともに、国内外のユーザー（顧客）にオープン缶（３０）が届いた後、これを屋外に立置きにして設置保管しても、降雨によりオープン缶（３０）の天板部（３１）上面に雨水が溜まるのを確実に阻止することができて、従来の面倒な天板部上面の雨水の除去作業を行う必要がなく、これによって作業者の負担が軽減され、そのうえ、非常にコンパクトで、製造コストが安くつくとともに、オープン缶（３０）の天板部外周の上方凸縁部（３２）および締付けバンド（３３）にワンタッチで取り付けることができて、取付けに手間がかからず、またその不使用時の保管スペースが非常に少なくてすむとともに、管理の手間をほとんど必要とせず、さらにコンパクトで小型設計であるため、立置きに設置されたオープン缶（３０）の天板部（蓋）（３１）外周の上方凸縁部（３２）および締付けバンド（３３）に取り付けた状態でも、輸送の邪魔にならず、オープン缶（３０）を利用する各種製品の輸出にも適している。
【００９７】
なお、オープン缶（３０）の天板部（蓋）（３１）外周の上方凸縁部（３２）および締付けバンド（３３）には、本発明の雨水吸上げ排出装置（１）を１個、または複数個取り付ければよく、もちろん雨水吸上げ排出装置（１）の取り付け数が多いほど、天板部上（３１）面における雨水の吸い上げ排出時間は、短くてすむが、通常は、天板部（３１）外周の上方凸縁部（３２）および締付けバンド（３３）に、本発明の雨水吸上げ排出装置（１）を１個取り付けるだけで充分である。
【００９８】
このように、ドラム缶等容器がオープン缶（３０）である場合にも、本発明による雨水吸上げ排出装置（１）には、さらに、吸水性部材（２）の固定手段（３）として、例えば金属線（１３）、金属板（１４）、合成樹脂板、または合成ゴム板よりなる固定手段（３）を備えることによって、雨水吸上げ排出装置（１）をオープン缶（３０）の天板部（蓋）（３１）外周の上方凸縁部（３２）および締付けバンド（３３）に跨った状態に確実に取り付けることができて、上記の効果をより一層確実に果たしうるものである。
【００９９】
なお、内容物を充填したオープン缶（３０）の天板部（蓋）（３１）外周の上方凸縁部（３２）および締付けバンド（３３）に跨って、本発明による雨水吸上げ排出装置（１）を予め取り付けておくと、オープン缶（３０）の輸送時に降雨に出会っても、例えば輸送船や輸送車両の荷台上に立置きに設置されたオープン缶（３０）の天板部（３１）上面には、雨水が溜まることがなく、内容物を充填したオープン缶（３０）の荷揚げ、荷下ろしの作業を、非常に速やかにかつ効率よく実施することができるものである。
【実施例】
【０１００】
以下、本発明の実施例を説明するが、本発明はこれらに限定されるものではない。
【０１０１】
実施例１
本発明の雨水吸上げ排出装置（１）の性能を確認するために、下記の実験を行なった。
【０１０２】
本発明による雨水吸上げ排出装置（１）は、図１〜図３に示すように、天板部（２１）外周のチヤイム部（２２）に跨がる縦断面略逆Ｕ形の吸水性部材（２）、および吸水性部材（２）の内部に収められた環状の金属線（針金）（１３）よりなる固定手段（３）を備えている。
【０１０３】
ここで、吸水性部材（２）は、図６に示すように、二つ折りされた吸水性織布（４）で包まれかつ同様に二つ折りされた吸水性紙（５）によって構成され、さらに二つ折りされた吸水性紙（５）の内側に同様に二つ折りされた合成繊維製の雨水排出促進用網状芯材（６）が収められている。
【０１０４】
そして、二つ折りされた上下網状芯材（６）（６）同士の間に、平面よりみて略矩形に屈曲成形された環状の金属線（針金）（１３）よりなる固定手段（３）が備えられている。
【０１０５】
吸水性部材（２）の縫い合わせ部（縫い目）（８）は、図８（ａ）の展開状態の平面図に示すように、吸水性部材（２）の右側縁部、すなわち吸水性部材（２）の折り返し部（７）と反対側の側縁部の全体と、上下両側縁部のそれぞれ略半分とに設けた。
【０１０６】
ここで、雨水吸上げ排出装置（１）の吸水性部材（２）の寸法は、長さ１００ｍｍ、および幅５０ｍｍとした。環状の金属線（針金）（１３）よりなる固定手段（３）の寸法は、吸水性部材（２）の内部に収められるように、これより若干小さいものとした。
【０１０７】
そして、図８（ａ）の展開状態の平面図に示すように、吸水性部材（２）と、平面よりみて略矩形に成形した金属線（１３）とを組み合わせた後、吸水性部材（２）と金属線（１３）とを一緒に、側面よりみて略逆Ｕ形に折り曲げて、雨水吸上げ排出装置（１）を作製した。
【０１０８】
ところで、ＪＩＳ規格によると、ドラム缶（２０）の天板部（２１）外周のチヤイム部（２２）の高さは、天板部（２１）上面より約２５ｍｍであり、チヤイム部（２２）に囲まれた天板部（２１）の上面には、通常、６リットルの水を溜めることができる。
【０１０９】
そこで、屋外に立置きに設置されたドラム缶（２０）の天板部（２１）の上面に水を、チヤイム部（２２）の上端に至るまで満杯に張っておき、この天板部（２１）外周のチヤイム部（２２）に、上記で作製した本発明による雨水吸上げ排出装置（１）を１個取り付けた。
【０１１０】
このとき、図２に示すように、雨水吸上げ排出装置（１）の吸水性部材（２）の内側端部（２ａ）は、天板部（２１）の上面に接触せしめられ、同外側端部（２ｂ）がチヤイム部（２２）の外側において垂下状に保持されるとともに、天板部（２１）のレベル以下の高さに保持されていた。
【０１１１】
すると、ドラム缶（２０）の天板部（２１）上面の雨水が、チヤイム部（２２）に跨って取り付けられた吸水性部材（２）の内側端部（２ａ）より毛細管現象により吸い上げられて、チヤイム部（２２）外側の吸水性部材（２）の外側端部（２ｂ）より、いわゆる糸を引くように流下排出せしめられ、ドラム缶（２０）の天板部（２１）上面の水が、約３０分で排出された。
【０１１２】
実施例２
つぎに、本発明の雨水吸上げ排出装置（１）の性能を確認するために、下記の別の実験を行なった。
【０１１３】
本発明の雨水吸上げ排出装置（１）を作製するが、上記実施例１の場合と異なる点は、雨水吸上げ排出装置（１）の吸水性部材（２）が、図７に示すように、二つ折りされた吸水性紙（５）によって構成され、さらに二つ折りされた吸水性紙（５）の内側に、同様に二つ折りされた合成繊維製の雨水排出促進用網状芯材（６）が収められている点、本発明の雨水吸上げ排出装置（１）の展開状態の平面図において、吸水性部材（２）の縫い合わせ部（縫い目）（８）が、図８（ｂ）に示すように、吸水性部材（２）の右側縁部の全体と、上下両側縁部のそれぞれ全体とに設けられている点にある。
【０１１４】
その他、雨水吸上げ排出装置（１）の吸水性部材（２）の寸法等は、上記実施例１の場合と同様とした。
【０１１５】
そして、本発明による雨水吸上げ排出装置（１）を、ドラム缶（２０）の天板部（２１）外周のチヤイム部（２２）に１個取り付けた。このとき、図２に示すように、雨水吸上げ排出装置（１）の吸水性部材（２）の内側端部（２ａ）は、天板部（２１）の上面に接触せしめられ、同外側端部（２ｂ）がチヤイム部（２２）の外側において垂下状に保持されるとともに、天板部（２１）のレベル以下の高さに保持されていた。
【０１１６】
つぎに、この雨水吸上げ排出装置（１）付きドラム缶（２０）を屋外に立置きに設置して、放置した。そして、かなりの雨量の降雨があった日、雨がやんだ後に、屋外に立置きに設置して放置したドラム缶（２０）の天板部（２１）上面を観察すると、天板部（２１）上面には、雨水が溜まっていなかった。
【０１１７】
このように、本発明による雨水吸上げ排出装置（１）を、ドラム缶（２０）の天板部（２１）外周のチヤイム部（２２）に予め取り付けおき、このドラム缶（２０）を屋外に立置きに設置すると、降雨により天板部（２１）上面に雨水が溜まり始めると同時に吸水性部材（２）の内側端部（２ａ）より毛細管現象により雨水が吸い上げられて、チヤイム部（２２）外側の吸水性部材（２）の外側端部（２ｂ）より流下排出せしめられて外部に流れ出し、天板部（２１）上面の雨水が、本発明による雨水吸上げ排出装置（１）を介して自然に除去されたことは、明らかであった。
【符号の説明】
【０１１８】
１：雨水吸上げ排出装置
１ａ：内部構成部
１ｂ：下向きに開口した円弧形の上部構成部
１ｃ：外部構成部
１ｄ：内方凸部
２：吸水性部材
２ａ：内側端部
２ｂ：外側端部
３：固定手段
４：織布
５：紙
６：雨水排出促進用網状芯材
７：折り返し部
８：縫い目
９：縫着部
１３：金属線（針金）
１３ａ：端部
１３ｂ：端部
１４：金属板
１５：接着テープ
１５ａ：端部
１５ｂ：端部
２０：ドラム缶
２１：天板部
２２：チヤイム部
２３：胴部
２４：ビード（補強凸条）
２５：大径口金部
２６：同小径口金部
３０：オープン缶
３１：天板部（蓋）
３２：上方凸縁部
３３：締付けバンド
３４：胴部
３５：カール部
３６：ガスケット
【図１】
2014084127.tif 000003
【図２】
2014084127.tif 000004
【図３】
2014084127.tif 000005
【図４】
2014084127.tif 000006
【図５】
2014084127.tif 000007
【図６】
2014084127.tif 000008
【図７】
2014084127.tif 000009
【図８】
2014084127.tif 000010
【図９】
2014084127.tif 000011
【図１０】
2014084127.tif 000012
【図１１】
2014084127.tif 000013
【図１２】
2014084127.tif 000014
【図１３】
2014084127.tif 000015